【手続補正書】
【提出日】平成18年8月9日(2006.8.9)
【手続補正１】
【補正対象書類名】特許請求の範囲
【補正対象項目名】全文
【補正方法】変更
【補正の内容】
【特許請求の範囲】
【請求項１】
スマートカードトランザクションを介して拡張ユーティリティ計器機能を有効にするコンピュータ実行方法であって、ユーティリティ計器と周辺コンピュータ（ＰＣ）とにスマートカードリーダがインタフェースされており、前記方法は、
前記スマートカードリーダにはめ込まれたスマートカードを認識し、前記ＰＣ上でＰＣベースの転送アプリケーションを起動するステップと、
前記スマートカードと前記ＰＣとの間で外部認証を実施するステップと、
前記ＰＣと前記計器との間で通信して、選択された拡張機能計器特徴を有効にするステップと、
前記スマートカードと共に提供されたライセンスカウンタをデクリメントするステップと
を備えることを特徴とするコンピュータ実行方法。
【請求項２】
前記ユーティリティ計器に追加すべき特定の特徴を選択するステップをさらに備え、前記選択するステップは前記通信するステップの前に実施されることを特徴とする請求項１に記載のコンピュータ実行方法。
【請求項３】
前記実施するステップは、
（ｉ）前記ＰＣから前記スマートカードにＰＩＮを送信するサブステップと、
（ｉｉ）前記スマートカードから前記ＰＣに暗号を送信するサブステップと、
（ｉｉｉ）前記暗号を解読するサブステップと、
（ｉｖ）ステップ（ｉｉｉ）で正しく解読が行われたことを検証するサブステップと
を含むことを特徴とする請求項１に記載のコンピュータ実行方法。
【請求項４】
前記ユーティリティ計器に問い合わせて、どのタイプの計器が前記スマートカードリーダと前記ＰＣベースのアプリケーションに関連するＰＣとにインタフェースされているかを判定するステップ
をさらに備えることを特徴とする請求項１に記載のコンピュータ実行方法。
【請求項５】
前記通信するステップは、
（ｉ）タイマを開始し、前記タイマを監視して、前記通信するステップが所定時間内に実施されることを保証するサブステップと、
（ｉｉ）第１の乱数を生成するサブステップと、
（ｉｉｉ）前記第１の乱数に基づいて、選択されたスマートカード情報を取り出すサブステップと、
（ｉｖ）第２の乱数を生成するサブステップと、
（ｖ）前記第２の乱数に基づいて前記計器からデータを取り出すサブステップと、
（ｖｉ）前記選択された機能計器特徴を前記ユーティリティ計器に対して有効にするサブステップと
を含むことを特徴とする請求項２に記載のコンピュータ実行方法。
【請求項６】
スマートカードトランザクションを介して拡張ユーティリティ計器機能を無効にするコンピュータ実行方法であって、ユーティリティ計器と周辺コンピュータ（ＰＣ）とにスマートカードリーダがインタフェースされており、前記方法は、
前記スマートカードリーダにはめ込まれたスマートカードを認識し、前記ＰＣ上でＰＣベースの転送アプリケーションを起動するステップと、
前記スマートカードと前記ＰＣとの間で外部認証を実施するステップと、
前記ＰＣと前記計器との間で通信して、選択された拡張機能計器特徴を無効にするステップと、
前記スマートカードと共に提供されたライセンスカウンタをインクリメントするステップと
を備えることを特徴とするコンピュータ実行方法。
【請求項７】
前記ユーティリティ計器から削除すべき特定の特徴を選択するステップをさらに備え、前記選択するステップは前記通信するステップの前に実施されることを特徴とする請求項６に記載のコンピュータ実行方法。
【請求項８】
前記実施するステップは、
（ｉ）前記ＰＣから前記スマートカードにＰＩＮを送信するサブステップと、
（ｉｉ）前記スマートカードから前記ＰＣに暗号を送信するサブステップと、
（ｉｉｉ）前記暗号を解読するサブステップと、
（ｉｖ）ステップ（ｉｉｉ）で正しく解読が行われたことを検証するサブステップとを含むことを特徴とする請求項６に記載のコンピュータ実行方法。
【請求項９】
前記ユーティリティ計器に問い合わせて、どのタイプの計器が前記スマートカードリーダと前記ＰＣベースのアプリケーションに関連するＰＣとにインタフェースされているかを判定するステップをさらに備えることを特徴とする請求項６に記載のコンピュータ実行方法。
【請求項１０】
前記通信するステップは、
（ｉ）タイマを開始し、前記タイマを監視して、前記通信するステップが所定時間内に実施されることを保証するサブステップと、
（ｉｉ）第１の乱数を生成するサブステップと、
（ｉｉｉ）前記第１の乱数に基づいて、選択されたスマートカード情報を取り出すサブステップと、
（ｉｖ）第２の乱数を生成するサブステップと、
（ｖ）前記第２の乱数に基づいて前記計器からデータを取り出すサブステップと、
（ｖｉ）前記選択された機能計器特徴を前記ユーティリティ計器に対して無効にするサブステップと
を含むことを特徴とする請求項７に記載のコンピュータ実行方法。
【請求項１１】
スマートカードを利用してユーティリティ計器に対する機能ライセンスを転送するコンピュータ実行方法であって、
スマートカードをユーティリティ計器にインタフェースするステップと、
前記スマートカード上のライセンスカウンタに問い合わせて、所望の機能を転送する前に適正なライセンスカウントが存在することを保証するステップと、
前記スマートカードと前記ユーティリティ計器との間に安全な通信経路を提供するステップと、
前記スマートカードと前記ユーティリティ計器との間で情報を転送して、選択されたユーティリティ計器機能を有効または無効にするステップ
とを備えることを特徴とするコンピュータ実行方法。
【請求項１２】
アップグレードされた特徴が前記ユーティリティ計器において有効にされ、したがって、適正なライセンスカウントは１以上に対応することを特徴とする請求項１１に記載のコンピュータ実行方法。
【請求項１３】
特徴が前記ユーティリティ計器において無効にされ、したがって、適正なライセンスカウントは最大カウント値よりも少なくとも１つ小さい値に対応することを特徴とする請求項１１に記載のコンピュータ実行方法。
【請求項１４】
前記スマートカードは、前記ユーティリティ計器のデータポートと通信するスマートカードリーダと周辺コンピュータとの組合せを介して、前記ユーティリティ計器にインタフェースされることを特徴とする請求項１１に記載のコンピュータ実行方法。
【請求項１５】
安全な通信経路を提供する前記ステップは、前記スマートカードと、インタフェースされたＰＣとの間でＰＩＮ情報を転送することを含むことを特徴とする請求項１１に記載のコンピュータ実行方法。
【請求項１６】
ユーティリティ計器ライセンス転送で使用するためのスマートカードであって、
ライセンストランザクションに対応する情報を含むファイルを記憶するように構成されたメモリと、
前記スマートカードとの間で転送されるデータを処理するように構成されたマイクロプロセッサと、
スマートカードリーダと接続して通信するように構成されたインタフェースポートと、
前記メモリおよび前記マイクロプロセッサをモジュール構成で収容するための筐体と
を備えたことを特徴とするスマートカード。
【請求項１７】
前記メモリは、カード保持者のＰＩＮに対応するファイルを記憶することを特徴とする請求項１６に記載のスマートカード。
【請求項１８】
前記メモリは、固有シリアル番号識別子に対応するファイルを記憶することを特徴とする請求項１６に記載のスマートカード。
【請求項１９】
前記メモリは、ユーティリティ計器に対して転送することのできる各タイプのライセンスに対応するファイルを記憶することを特徴とする請求項１６に記載のスマートカード。
【請求項２０】
前記メモリは、カード保持者のＰＩＮと、固有シリアル番号識別子と、ユーティリティ計器に対して転送することのできる各タイプのライセンスとに対応するそれぞれの情報を記憶することを特徴とする請求項１６に記載のスマートカード。
【請求項２１】
前記インタフェースポートは、スマートカードリーダの多ピン接触領域に対合するための多ピン接触領域を備えたことを特徴とする請求項１６に記載のスマートカード。
【請求項２２】
選択されたユーティリティ計器からアップグレードまたはダウングレードするのに利用可能なライセンスの数を維持するように構成されたライセンスカウンタをさらに備えたことを特徴とする請求項１６に記載のスマートカード。
【請求項２３】
インタフェースされたＰＣに暗号化済みデータストリングを送信することができることを特徴とする請求項１６に記載のスマートカード。
【請求項２４】
前記暗号化済みデータストリングが前記ＰＣによって正しく解読されたことをさらに検証することができることを特徴とする請求項２３に記載のスマートカード。
【請求項２５】
計器ライセンストランザクションを実施することができるよう、ユーティリティ計器にインタフェースされるように構成されたスマートカードリーダであって、
スマートカードと接続して通信するように構成された第１のインタフェースポートと、
ユーティリティ計器と通信するように構成された第２のインタフェースポートと
を備えたことを特徴とするスマートカードリーダ。
【請求項２６】
前記第１のインタフェースポートは、スマートカードの対応する多ピン接触領域と対合するための多ピン接触領域を備えたことを特徴とする請求項２５に記載のスマートカードリーダ。
【請求項２７】
前記スマートカードとユーティリティ計器との間で拡張計器機能を転送することができるよう、計器アップグレードライセンスを有するスマートカードを受け取るように構成されたことを特徴とする請求項２５に記載のスマートカードリーダ。
【請求項２８】
前記第２のインタフェースポートは、ＰＣおよびＰＣベースのアプリケーションを介して間接的に前記ユーティリティ計器と通信することを特徴とする請求項２５に記載のスマートカードリーダ。
【請求項２９】
アップグレードまたはダウングレードされる機能を提供することのできる計測システムにおいて、前記計測システム機能は計器機能ライセンスを介して有効または無効にされ、前記計測システムは、
ユーティリティ製品を電子的に測定または分配するための計測装置と、
前記計測装置の処理コンポーネントとの通信が可能になるように前記計測装置と共に提供された少なくとも１つの通信ポートと、
前記少なくとも１つの通信ポートを介して前記計測システムと通信するように構成された周辺コンピュータと、
計器システム機能を有効または無効にすることができるよう、スマートカードを受け取るように構成された、前記周辺コンピュータと接続して通信するスマートカードリーダと
を備えたことを特徴とする計測システム。
【請求項３０】
前記計測装置によって測定または分配される前記ユーティリティ製品は電気エネルギーを含むことを特徴とする請求項２９に記載の計測システム。
【請求項３１】
前記計測装置と前記スマートカードリーダとの間で直接通信が可能になるように、追加の通信ポートをさらに備えたことを特徴とする請求項２９に記載の計測システム。
【請求項３２】
前記スマートカードリーダは前記周辺コンピュータの一体型コンポーネントであることを特徴とする請求項２９に記載の計測システム。
【請求項３３】
前記スマートカードリーダにはめ込まれるスマートカードをさらに備え、前記スマートカードは、前記計測装置の機能を有効または無効にするための計器機能ライセンス情報を含むことを特徴とする請求項２９に記載の計測システム。
【請求項３４】
前記周辺コンピュータにはソフトウェアベースのライセンス転送アプリケーションが備わり、ユーザは前記アプリケーションと対話して機能アップグレードまたはダウングレードを実施することができることを特徴とする請求項２９に記載の計測システム。
【手続補正２】
【補正対象書類名】図面
【補正対象項目名】図４ｂ
【補正方法】変更
【補正の内容】
【図４ｂ】
2005535984.tif 000001